【手続補正書】
【提出日】平成27年4月27日(2015.4.27)
【手続補正１】
【補正対象書類名】明細書
【補正対象項目名】０００８
【補正方法】変更
【補正の内容】
【０００８】
この発明は，矩形板状のベッド，該ベッドに幅方向に隔置して取り付けた一対の直動案内ユニットを介して往復移動自在な矩形板状のテーブル，及び前記ベッドと前記テーブルとの間で且つ前記直動案内ユニットの間に界磁マグネットと該界磁マグネットに対向する電機子組立体とから成る可動マグネット型リニアモータを内蔵した上下面が実質的に平らな形状のスライド装置において，
前記ベッドには，前記テーブルの移動方向に沿って形成された溝状の凹部に前記電機子組立体のコイル基板を下面にして埋設され，前記電機子組立体の両端側になる前記凹部の両端部にエンドブロックがそれぞれ嵌入して対向して配設されており，
前記エンドブロックは，ブロック体に構成されて両側部に形成された取付け用孔にねじを通して前記コイル基板と共に前記ベッドに固着され，前記テーブルが前記ベッドから飛び出すのを防止するために前記ベッド上から突出して前記テーブルの上面よりも低く構成されて前記テーブルの端面が当接する当接面を有して形成されており，
前記エンドブロックの前記ブロック体は，前記スライド装置の全体を上部から被せて覆う防塵で防護のためのカバーを嵌入可能に構成され，前記カバーを位置決め固着する取付け可能にする上面，両側面，及び外端面になる背面に形成されると共に前記背面に係止部を設けられており，
前記テーブルの前記上面には，前記カバーが装着されるときに前記カバーに開口して形成された窓部を通して前記カバー上面から僅かに突出した状態に固定されるサブテーブルを取付け可能にする複数の取付け用ねじ孔が形成されていることを特徴とするカバー取付け可能なスライド装置に関する。
【手続補正２】
【補正対象書類名】明細書
【補正対象項目名】００３１
【補正方法】変更
【補正の内容】
【００３１】
１      テーブル
２      ベッド
３      カバー
４，５    エンドブロック
６      リニアモータ
７      界磁マグネット
８      電機子組立体
９      直動案内ユニット
１０    スライド装置
１１    サブテーブル
１４    コネクター
１５    当接面
１７    電源線
１８    窓部
２１    コイル基板
３０    緩衝部
３１    係止凹部
３２    係着部
３３    係止凸部
３４，５１    取付け用孔
３５    凹部
３７    天井部
３８    端部
３９    側部
４１，４２    取付け用ねじ孔
４５    周辺部
４６    背面
４７    モールド部
４８    側面
４９    下面
５０    上面
５２    凹欠部
５３    エンドブロックの段凹部
６０    カバーの段凹部
６４    テーブル上面
６５    テーブル端面
【手続補正３】
【補正対象書類名】特許請求の範囲
【補正対象項目名】全文
【補正方法】変更
【補正の内容】
【特許請求の範囲】
【請求項１】
矩形板状のベッド，該ベッドに幅方向に隔置して取り付けた一対の直動案内ユニットを介して往復移動自在な矩形板状のテーブル，及び前記ベッドと前記テーブルとの間で且つ前記直動案内ユニットの間に界磁マグネットと該界磁マグネットに対向する電機子組立体とから成る可動マグネット型リニアモータを内蔵した上下面が実質的に平らな形状のスライド装置において，
前記ベッドには，前記テーブルの移動方向に沿って形成された溝状の凹部に前記電機子組立体のコイル基板を下面にして埋設され，前記電機子組立体の両端側になる前記凹部の両端部にエンドブロックがそれぞれ嵌入して対向して配設されており，
前記エンドブロックは，ブロック体に構成されて両側部に形成された取付け用孔にねじを通して前記コイル基板と共に前記ベッドに固着され，前記テーブルが前記ベッドから飛び出すのを防止するために前記ベッド上から突出して前記テーブルの上面よりも低く構成されて前記テーブルの端面が当接する当接面を有して形成されており，
前記エンドブロックの前記ブロック体は，前記スライド装置の全体を上部から被せて覆う防塵で防護のためのカバーを嵌入可能に構成され，前記カバーを位置決め固着する取付け可能にする上面，両側面，及び外端面になる背面に形成されると共に前記背面に係止部を設けられており，
前記テーブルの前記上面には，前記カバーが装着されるときに前記カバーに開口して形成された窓部を通して前記カバー上面から僅かに突出した状態に固定されるサブテーブルを取付け可能にする複数の取付け用ねじ孔が形成されていることを特徴とするカバー取付け可能なスライド装置。
【請求項２】
前記エンドブロックは，合成樹脂製で形成され，前記当接面は断面山形で上下に延びる凸部が幅方向に多数並設して弾性変形可能に構成された緩衝部に形成されていることを特徴とする請求項１に記載のカバー取付け可能なスライド装置。
【請求項３】
前記エンドブロックの前記係止部は，前記カバーに設けられた係止凸部が嵌入して係着可能な係止凹部に形成されていることを特徴とする請求項１又は２に記載のカバー取付け可能なスライド装置。
【請求項４】
一方の前記エンドブロックは，前記電機子組立体に電源線が結線されモールドされたコネクター側に配設されて前記コネクターを嵌入する凹欠部が形成されると共に下面にはコイル基板上に配置可能に平面に形成されており，他方の前記エンドブロックは，下面には前記コイル基板の端部を嵌入できる段凹部が形成されていることを特徴とする請求項１〜３のいずれか１項に記載のカバー取付け可能なスライド装置。
【請求項５】
前記ベッドは，両端部の四隅にベース等の機台に取り付けるための取付け用孔を形成していることを特徴とする請求項１〜４のいずれか１項に記載のカバー取付け可能なスライド装置。
【請求項６】
矩形板状のベッド，該ベッドに幅方向に隔置して取り付けた一対の直動案内ユニットを介して往復移動自在な矩形板状のテーブル，及び前記ベッドと前記テーブルとの間で且つ前記直動案内ユニットの間に界磁マグネットと該界磁マグネットに対向する電機子組立体とから成る可動マグネット型リニアモータを内蔵した上下面が実質的に平らな形状のスライド装置において，
前記ベッドの両端にそれぞれ配設されたエンドブロックに係着してカバーが装着され，前記カバーは，前記テーブルの上面に対向する部分が開口された窓部に形成されると共に前記窓部の周囲が前記スライド装置の上部を覆う天井部に形成され，及び前記天井部から垂下して前記スライド装置の両側部及び両端部の周辺を覆う周辺部に形成されており，
前記テーブルには，前記カバーの前記窓部を通して位置決め駆動するワーク等の部材を取り付けるために前記テーブルよりも小さなサブテーブルが固着されて構成されていることを特徴とするカバーを装着したスライド装置。
【請求項７】
前記カバーの前記窓部は，矩形板状に形成された前記サブテーブルが前記テーブルの可動範囲に可動しても前記テーブルの端面が露出しない大きさに矩形形状に形成されていることを特徴とする請求項６に記載のカバーを装着したスライド装置。
【請求項８】
前記カバーは，前記両端部に前記エンドブロックにそれぞれ嵌入する係着部が形成され，前記係着部の内面である端面には，前記端面から突出した一対の係止凸部が形成され，前記係止凸部が前記エンドブロックの背面に形成された係止凹部に係着して前記スライド装置に装着されることを特徴とする請求項６又は７に記載のカバーを装着したスライド装置。
【請求項９】
前記カバーの前記両端部は，前記スライド装置をベース等の機台に取り付けるために前記ベッドの四隅に形成された取付け用孔を覆うこと無く，各々の前記取付け用孔を露出させた形状に前記端部の両側が段凹部に形成されていることを特徴とする請求項６〜８のいずれか１項に記載のカバーを装着したスライド装置。
【請求項１０】
前記サブテーブルは，前記テーブルの中央位置に固着され，前記テーブルの移動方向の長さは，前記テーブルの長さから２倍の前記テーブルのストローク距離を引いた長さよりも小さく形成されていることを特徴とする請求項６〜９のいずれか１項に記載のカバーを装着したスライド装置。